(57)【要約】【課題】  取付ネジが表面に露出しておらず、美的観点から美しく感じることができ、取り付けられる浴室や洗面所などのように湿気が多い場所でも取付ネジが錆びず、また、取付け取り外しが容易で、しかもコストの低減を図ることができる。【解決手段】  被取付壁面５に固着される一対の取付ベース４，４と、取付ベース４，４に上方から差し込み係止する上下方向に配置される複数の係止構造を介して冠着するカバー状ブラケット２ａ，２ｂを杆状のタオル掛け部１の両端に具備したタオル掛け本体１とからなる。【選択図】図１
2008119242.tif 000002
【特許請求の範囲】
【請求項１】
被取付壁面に固着される一対の取付ベースと、前記取付ベースに上方から差し込み係止する上下方向に配置される複数の係止構造を介して冠着するカバー状ブラケットを杆状のタオル掛け部の両端に具備したタオル掛け本体とからなることを特徴とするタオル掛け。
【請求項２】
前記係止構造は、カバー状ブラケット側の内壁上端に設けられた係止突起及び下端に設けられた一対の係止爪とカバー状ブラケット側係止突起が係合する前記取付ベース側の上端に形成された係止溝、およびカバー状ブラケット側の側壁内面の下端に形成された係止爪と前記各係止爪が係合する取付ベース側の側面における略中央部から下端に至って形成された逆Ｌ形の挿入溝の下端に形成された係止溝とで構成される請求項１記載のタオル掛け。
【請求項３】
前記係止構造を構成するカバー状ブラケット側の下端に設けられた一対の係止爪が係合する取付ベース側の略中央部から下端に至って形成された逆Ｌ形の挿入溝は、前方の壁面が前記下端に形成された係止溝方向へと狭くなる傾斜面に形成されている請求項２に記載のタオル掛け。
【請求項４】
前記係止構造を構成するカバー状ブラケット側の下端に設けられた一対の係止爪が取付ベース側の係止溝に係止したときに、カバー状ブラケット側の内壁上端に設けられた係止突起が前記取付ベース側の上端に形成された係止溝に同時に係合する請求項２または３に記載のタオル掛け。
【請求項５】
前記カバー状ブラケット側の側壁内面の下端に形成された係止爪と前記各係止爪が係合する取付ベース側の側面における略中央部から下端に至って形成された逆Ｌ形の挿入溝の下端に形成された係止溝とで構成される係止構造において、前記前記カバー状ブラケット側の側壁または取付ベース側の側面の少なくとも一方が弾性を有し、前記係止爪と係止溝との係止状態が解除可能な請求項２，３または４に記載のタオル掛け。
【請求項６】
前記カバー状ブラケットに、フックが一体に設けられている請求項１，２，３，４または５記載のタオル掛け。
【発明の詳細な説明】
【技術分野】
【０００１】
本発明は、浴室、洗面所などの壁面に設置されるタオル掛けに関するものである。
【背景技術】
【０００２】
従来、この種のタオル掛けは、一般に杆状のタオル掛け部の両端に装着されたブラケットにより壁面へ固着するものが一般的であり、多くはブラケットを取付ネジで被取り付け壁面に直接、固着するものであった。しかし、このようなタオル掛けであると、取付ネジが表面に露出しているので、美的観点から美しく感じられず、外観上よいものではないばかりかタオル掛けが取り付けられる浴室や洗面所などは湿気が多く取付ネジが錆びてしまうという問題もあった。
【０００３】
そこで、露出する取付ネジを被覆することができるものとして、被取り付け壁面に固着される一対の取付ベースと、前記取付ベースに冠着するカバー状ブラケットを杆状のタオル掛け部の両端に嵌め合い構造や嵌め殺し構造により具備したものが知られている。
【０００４】
ところが、嵌め合い構造のものは嵌め合い部分が外部から見えるので、美しいとは言えず、嵌め殺し構造のものは、一旦取付けてしまうと外すことが困難であるという問題がある。
【０００５】
また、取付ベースに取り付けたカバー状ブラケットが、取付け及び取り外しができる構造のものとして例えば実開昭６２−１２０８９２号公報、実開平７−１１５１号公報等に提示されている。
【０００６】
しかしながら、前記公報に提示されているものは円形の取付ベースにブラケットに筒状のカバー状ブラケットをねじ込む構造であり、取付ベースの位置決めが困難であったり、カバー状ブラケットを回転させて装着並びに取り外しを行うものであり取り付け操作が面倒であり、特に、構造や形状が複雑となり、コスト高ともなる。
【特許文献１】実開昭６２−１２０８９２号公報
【特許文献２】実開平７−１１５１号公報
【発明の開示】
【発明が解決しようとする課題】
【０００７】
本発明は、上記のような問題点を解決することを課題とするものであり、取り付け後の美観に優れていることは言うまでもなく、また取付け取り外しが容易で、しかもコスト低減にもなるタオル掛けを提供することを目的としている。
【課題を解決するための手段】
【０００８】
前記課題を解決するためになされた本発明に係るタオル掛けは、被取付壁面に固着される一対の取付ベースと、前記取付ベースに上方から差し込み係止する上下方向に配置される複数の係止構造を介して冠着するカバー状ブラケットを杆状のタオル掛け部の両端に具備したタオル掛け本体とからなることを特徴とする。
【０００９】
本発明によれば、カバー状ブラケットが、前記取付ベースに差し込み係止構造を介して冠着するので、タオル掛け本体を一定方向に（例えば、上から下方向へ）移動して嵌着され、また逆方向に（下から上方向へ）移動することによって取付ベースから外れるので、取付ベースへの取付け及び取り外しが容易になる。また、取付ネジがカバー状ブラケットで被覆されているので、美的観点から美しく感じられて外観がよくなる。しかも、カバー状ブラケットの嵌着が比較的に簡単な構造になっていることから、コスト低減にもなる。
【００１０】
また、係止構造は、カバー状ブラケット側の内壁上端に設けられた係止突起及び下端に設けられた一対の係止爪とカバー状ブラケット側係止突起が係合する前記取付ベース側の上端に形成された係止溝、およびカバー状ブラケット側の側壁内面の下端に形成された係止爪と前記各係止爪が係合する取付ベース側の側面における略中央部から下端に至って形成された逆Ｌ形の挿入溝の下端に形成された係止溝とで構成されるので、係止操作が簡単で且つ確実に係止させることができる。
【００１１】
更に、前記係止構造を構成するカバー状ブラケット側の下端に設けられた一対の係止爪が係合する取付ベース側の略中央部から下端に至って形成された逆Ｌ形の挿入溝は、前方の壁面が前記下端に形成された係止溝方向へと狭くなる傾斜面に形成されている場合には、係止爪を手前側から差し込んで挿入溝に沿って下方に移動させるだけの簡単な操作で係止が行える。
【００１２】
更にまた、前記係止構造を構成するカバー状ブラケット側の下端に設けられた一対の係止爪が取付ベース側の係止溝に係止したときに、カバー状ブラケット側の内壁上端に設けられた係止突起が前記取付ベース側の上端に形成された係止溝に同時に係合する構成とすることにより双方の係止構造が互いに協働して確実な係止状態とすることができる。
【００１３】
加えて、前記カバー状ブラケット側の側壁内面の下端に形成された係止爪と前記各係止爪が係合する取付ベース側の側面における略中央部から下端に至って形成された逆Ｌ形の挿入溝の下端に形成された係止溝とで構成される係止構造において、前記前記カバー状ブラケット側の側壁または取付ベース側の側面の少なくとも一方が弾性を有し、前記係止爪と係止溝との係止状態が解除可能な場合には取り外しも簡単に行うことができる。
【００１４】
尚、フックをカバー状ブラケット自体に一体に設けことによって、タオル以外に、同時に小さいタオルや小物等のを吊り下げることができ、利用価値が高まる。
【発明の効果】
【００１５】
以上の手段を有する本発明によれば、外観がよく、また取付け取り外しが容易で、しかもコスト低減にもなるタオル掛けが提供できる。
【発明を実施するための最良の形態】
【００１６】
以下、図面に示した本発明の実施の形態について、説明する。図１は、本発明の実施の形態の一例であるタオル掛けの正面図、図２はそのＡ−Ａ断面図、図３はそのＢ−Ｂ断面図、図４はそのＣ−Ｃ断面図、図５は取付ベースの拡大正面図、図６はその側面図、図７〜図９は本発明の実施の一形態に係るタオル掛けの取付け方法を示す各段階の側面図である。
【００１７】
本実施形態のタオル掛けは、主として杆状のタオル掛け部１１とその両端に装着されたカバー状ブラケット２ａ，２ｂからなるタオル掛け本体１と、取付ネジ３によって被取付壁面５に固着される左右一対の取付ベース４で構成されている。これらのカバー状ブラケット２ａ，２ｂは、合成樹脂により全体が略コ字状で中空に形成され、互いの対向側面の前方上側に、それぞれ角形の装着凹部６が形成されて、それらの装着凹部６に適宜長尺の金属製角パイプからなる杆状のタオル掛け部１側の端部がそれぞれ嵌挿されている。尚、タオル掛け部１とカバー状ブラケット２ａ，２ｂとの結合は圧入或いは接着剤などを用いて固着しても良い。
【００１８】
また、前記カバー状ブラケット２ａ，２ｂは、内壁上端に横方向に沿って係止突起７が設けられ、下端両側に内側に突出して係合爪８がそれぞれ設けられている。また、カバー状ブラケット２ａ，２ｂの前方下側には、タオルの他に小物等を引き掛けられるように、フック９，９がそれぞれ一体に突設されている。
【００１９】
一方、左右の取付ベース４，４は少なくともカバー状ブラケット２ａ，２ｂを被冠させたときに全体が隠れる大きさの略縦長片板の樹脂製で、上端には前記カバー状ブラケット２ａ，２ｂに設けられた係止突起７が係合する係止溝１０が形成され、両側面部１２，１２には前記カバー状ブラケット２ａ，２ｂに設けられた係合爪８がスライドして係合する係止溝１２ａが略中央部から下端に至って折れ曲った挿入溝１２ｂの下端に形成されている。また、両取付ベース４，４には、これを取付ネジ３で被取付壁面５に取付けるための取付孔１４が上下に形成され、下端には各カバー状ブラケット２ａ，２ｂが装着された際に、弾性力によって係合爪８，８が挿入溝１２ｂ，１２ｂから係止溝１２ａ，１２ａにそれぞれ強く係止されるように二股片１３，１３になっている。
【００２０】
尚、前記各取付ベース４の両側面部１２，１２の係止溝１２ａ，１２ａの形成部は弾性を生じさせるために底面から上方へと凹部１２ｃが形成されているが、取付後に下方から前記凹部１２ｃが見えるのでこれを隠す目的で下端に互いに対向する突片１２ｄ，１２ｄを前記凹部１２ｃへ向けて突出させている。
【００２１】
また、前記突片１２ｄ，１２ｄの間には隙間１２ｅが形成されているが、この隙間１２ｅは係止溝１２ａ，１２ａの形成部は弾性を生じさせるとともに使用時に凹部１２ｃに溜まる水を排出する役目をしている。
【００２２】
そして、本実施の形態であるタオル掛けは、被取付壁面５に取付ネジ３で固着された一対の取付ベース４に、杆状のタオル掛け部１の両端に装着された左右のカバー状ブラケット２ａ，２ｂがそれぞれ被冠・固着されてタオル掛けとして機能するものであり、外観がよく、また取付け及び取り外しが容易で、しかもコスト低減にもなる。
【００２３】
次に、本実施の形態であるタオル掛けの取付方法を結盟すると、まず、左右の取付ベース４を取付ネジ３で被取付壁面５の所定の位置に取付け、次いで、杆状のタオル掛け部１１の両端に、カバー状ブラケット２ａ，２ｂを装着したタオル掛け本体１の両カバー状ブラケット２ａ，２ｂの下端の係合爪８との高さ及び左右の位置を、左右の取付ベース４側の中央部に形成された挿入溝１２ｂ，１２ｂの入口に一致させる（図７参照）。
【００２４】
その状態で、杆状のタオル掛け部１１の両端のカバー状ブラケット２ａ，２ｂを水平方向に前進移動（図７矢印Ａ）させて、カバー状ブラケット２ａ，２ｂ側の各係合爪８，８を左右の取付ベース４側の各挿入係止溝１２ｂ，１２ｂの入口にそれぞれ挿入する（図８および図９参照）。
【００２５】
その後、両端のカバー状ブラケット２ａ，２ｂを垂直方向に下方移動（図８矢印Ｂ）させて、カバー状ブラケット２ａ，２ｂ側の係止突起７と左右の取付ベース４側の係止溝１０とを係合させ、カバー状ブラケット２ａ，２ｂ側の係合爪８，８と左右の取付ベース４側の係止溝１２ａ，１２ａとをそれぞれ係合させて、両カバー状ブラケット２ａ，２ｂを左右の取付ベース４に嵌着させる（図１０参照）。
【００２６】
この際、挿入溝１２ｂ，１２ｂの入口は、外方に向かって広く開口しているので、両カバー状ブラケット２ａ，２ｂの溝への挿入方向や溝から外す場合の脱出方向が多少傾斜しても、容易に行うことができる。また、取付ベース４の二股片１３の側面下端は、僅かな膨らみを呈する部分があるので、カバー状ブラケット２ａ，２ｂ側の係合爪８，８が左右の取付ベース４側の係止溝１２ａ，１２ａに係合係止する際により確実に係止される。また、二股片１３，１３の弾性力によって、係合爪８，８と挿入係止溝１２ａ，１２ａが係合されるので、差し込み作業の完了が嵌合音とともに確実に把握でき、嵌着後は多少の力が加わっても、カバー状ブラケット２ａ，２ｂは、外れることがない。
【００２７】
殊に、本発明では、タオル掛け本体１を構成するタオル掛け部１１を支持するカバー状ブラケット２ａ，２ｂは、壁面に固着される取付ベース４，４に対して前後方向の動きが制御された状態で上下方向に安定した状態で支持されるのでタオルを確実に掛けることができる。
【００２８】
尚、取り付け後にカバー状ブラケット２ａ，２ｂを外すにはカバー状ブラケット２ａ，２ｂを上方へ移動させれば良いが、係合爪８，８と係止溝１２ａ，１２ａとの係合が強固でそのままの状態では解除できない場合には、カバー状ブラケット２ａ，２ｂの係合爪８形成部分を外側に開いて係合爪８，８と挿入係止溝１２ａ，１２ａとの係合を解除すればよい。
【００２９】
以上は、本発明の実施の一形態を述べたが、本発明は上記実施形態に限定されるものではない。カバー状ブラケットと取付ベースとの係止構造は、例えば左右の取付ベース側に係止突起を設け、両カバー状ブラケット側にその係合突起が係合する係合溝を形成する構成にすることも可能である。
【図面の簡単な説明】
【００３０】
【図１】本発明の実施の一形態に係るタオル掛けの正面図である。
【図２】図１のＡ−Ａ断面図である。
【図３】図１のＢ−Ｂ断面図である。
【図４】図１のＣ−Ｃ断面図である。
【図５】図１に示した実施の形態における取付ベースの拡大正面図である。
【図６】図５の側面図である。
【図７】図１に示した実施の形態についての側面から観た取付け方法を示す説明図である。
【図８】図１に示した実施の形態についての（ａ）は側面から観た取付け方法を示す説明図、（ｂ）は（ａ）の背面から観た取付け方法を示す説明図である。
【図９】図１に示した実施の形態についての（ａ）は側面から観た取付け方法を示す説明図、（ｂ）は（ａ）の背面から観た取付け方法を示す説明図である。
【図１０】図１に示した実施の形態についての（ａ）は側面から観た取付け方法を示す説明図、（ｂ）は（ａ）の背面から観た取付け方法を示す説明図である。
【符号の説明】
【００３１】
１  タオル掛け本体、２ａ，２ｂ  カバー状ブラケット、３  取付ネジ、４  取付ベース、５  被取付壁面、７  係止突起、８  係止爪、９  フック、１０  係止溝、１１  杆状のタオル掛け部、１２ａ  係止溝、１２ｂ  挿入溝
【図１】
2008119242.tif 000003
【図２】
2008119242.tif 000004
【図３】
2008119242.tif 000005
【図４】
2008119242.tif 000006
【図５】
2008119242.tif 000007
【図６】
2008119242.tif 000008
【図７】
2008119242.tif 000009
【図８】
2008119242.tif 000010
【図９】
2008119242.tif 000011
【図１０】
2008119242.tif 000012